(57)【要約】【課題】精穀室における穀粒の精穀圧力を適切にする。【解決手段】摩擦精穀装置１０では、米粒Ｒが、送穀ロール２４によって摩擦精穀室３６を下側へ搬送されると共に、摩擦精穀ロール３４によって摩擦精穀筒２８内周面の突起に圧接されつつ摩擦精穀される。ここで、摩擦精穀筒２８における突起の設置密度は、上側部２８Ａに比し中間部２８Ｃが大きくされている。このため、摩擦精穀室３６において突起から米粒Ｒに作用する圧力は、摩擦精穀室３６の中間部３６Ｃにおいて高くなり、摩擦精穀室３６の上側部３６Ａにおいて低くなる。また、摩擦精穀室３６の米粒Ｒに作用する送穀ロール２４による搬送力は、摩擦精穀室３６の上側部３６Ａから下側部３６Ｂへ向かうに従い低くなる。このため、摩擦精穀室３６の上側部３６Ａから中間部３６Ｃにおいて米粒Ｒの精穀圧力が局部的に高い部分をなくすことができ、米粒Ｒの砕粒を抑制できる。【選択図】図１
2010042355.tif 000002
【特許請求の範囲】
【請求項１】
筒状の精穀筒と、
前記精穀筒内に設けられて前記精穀筒との間に精穀室が形成され、前記精穀室を一側部から中間部を介して他側部へ穀粒が搬送されると共に、回転されることで穀粒が精穀される精穀ロールと、
前記精穀筒の内周面に突出して設けられて前記精穀室に配置され、前記精穀室の一側部における配置密度が前記精穀室の中間部における配置密度に比し小さくされた突出部と、
を備えた精穀装置。
【請求項２】
筒状の精穀筒と、
前記精穀筒内に設けられて前記精穀筒との間に精穀室が形成され、前記精穀室を一側部から中間部を介して他側部へ穀粒が搬送されると共に、回転されることで穀粒が精穀される精穀ロールと、
前記精穀筒の内周面に突出して設けられて前記精穀室に配置され、前記精穀室の他側部における配置密度が前記精穀室の中間部における配置密度に比し小さくされた突出部と、
を備えた精穀装置。
【発明の詳細な説明】
【技術分野】
【０００１】
本発明は、穀粒を精穀する精穀装置に関する。
【背景技術】
【０００２】
精穀装置（精米機）としては、除糠筒（網板）内に精穀転子（搗精ロール）が設けられて、除糠筒と精穀転子との間の精穀室に送穀転子によって穀粒を搬送すると共に、精穀転子が回転されることで穀粒が精穀されるものがある（例えば、特許文献１及び特許文献２参照）。
【０００３】
この精穀装置では、除糠筒の内周面に突起（横凸条）が突出して形成されており、精穀転子によって回転力を付与される穀粒が突起に圧接されることで、精穀転子による穀粒への回転力が精穀に有効な穀粒への圧力に変換される。また、突起は、除糠筒の内周面に均等に配置されている。
【０００４】
ここで、この精穀装置では、上述の如く、精穀室に送穀転子によって穀粒を搬送する。このため、精穀室における穀粒の精穀圧力が、精穀室の一側部（送穀転子側部分）において高くなり、精穀室の一側部から他側部（送穀転子とは反対側部分）へ向かうに従い低くなる。
【０００５】
これにより、精穀室の一側部において、穀粒の精穀圧力が局部的に高くなり、穀粒の砕粒が発生する可能性がある。このため、精穀室の一側部においては、穀粒の精穀圧力を低減できるのが好ましい。
【０００６】
また、精穀室の他側部では、穀粒の精穀がほぼ完了している。このため、精穀室の他側部においては、穀粒の精穀圧力を低くして、穀粒を適切に研粒できるのが好ましい。
【特許文献１】実公昭３３−６９６５号公報
【特許文献２】実公昭３３−１１２６２号公報
【発明の開示】
【発明が解決しようとする課題】
【０００７】
本発明は、上記事実を考慮し、精穀室における穀粒の精穀圧力を適切にできる精穀装置を得ることが目的である。
【課題を解決するための手段】
【０００８】
請求項１に記載の精穀装置は、筒状の精穀筒と、前記精穀筒内に設けられて前記精穀筒との間に精穀室が形成され、前記精穀室を一側部から中間部を介して他側部へ穀粒が搬送されると共に、回転されることで穀粒が精穀される精穀ロールと、前記精穀筒の内周面に突出して設けられて前記精穀室に配置され、前記精穀室の一側部における配置密度が前記精穀室の中間部における配置密度に比し小さくされた突出部と、を備えている。
【０００９】
請求項２に記載の精穀装置は、筒状の精穀筒と、前記精穀筒内に設けられて前記精穀筒との間に精穀室が形成され、前記精穀室を一側部から中間部を介して他側部へ穀粒が搬送されると共に、回転されることで穀粒が精穀される精穀ロールと、前記精穀筒の内周面に突出して設けられて前記精穀室に配置され、前記精穀室の他側部における配置密度が前記精穀室の中間部における配置密度に比し小さくされた突出部と、を備えている。
【発明の効果】
【００１０】
請求項１に記載の精穀装置では、精穀筒内に精穀ロールが設けられて、精穀筒と精穀ロールとの間に精穀室が形成されており、精穀室を一側部から中間部を介して他側部へ穀粒が搬送されると共に、精穀ロールが回転されることで穀粒が精穀される。
【００１１】
さらに、精穀筒の内周面に突出部が突出して設けられて、突出部が精穀室に配置されている。
【００１２】
ここで、精穀室の一側部における突出部の配置密度が、精穀室の中間部における突出部の配置密度に比し、小さくされている。このため、精穀室の一側部における穀粒の精穀圧力を低減でき、穀粒の砕粒を抑制できる。
【００１３】
請求項２に記載の精穀装置では、精穀筒内に精穀ロールが設けられて、精穀筒と精穀ロールとの間に精穀室が形成されており、精穀室を一側部から中間部を介して他側部へ穀粒が搬送されると共に、精穀ロールが回転されることで穀粒が精穀される。
【００１４】
さらに、精穀筒の内周面に突出部が突出して設けられて、突出部が精穀室に配置されている。
【００１５】
ここで、精穀室の他側部における突出部の配置密度が、精穀室の中間部における突出部の配置密度に比し、小さくされている。このため、精穀室の他側部における穀粒の精穀圧力を低くでき、穀粒を適切に研粒できる。
【発明を実施するための最良の形態】
【００１６】
図１には、本発明の精穀装置が適用されて構成された実施の形態に係る摩擦精穀装置１０が側方から見た断面図にて示されている。なお、図面では、摩擦精穀装置１０の上方を矢印ＵＰで示す。
【００１７】
本実施の形態に係る摩擦精穀装置１０は、略直方体形箱状のケース１２を備えており、ケース１２内には、上から順に平板状の上仕切板１４及び下仕切板１６が水平に架設されている。
【００１８】
ケース１２の内部には、中空円軸状の回転軸１８が回転可能に支持されており、回転軸１８は、上下方向に沿って配置されて、上仕切板１４及び下仕切板１６を貫通している。
【００１９】
ケース１２の上面には、漏斗状の供給ホッパ２０が固定されており、供給ホッパ２０内は、ケース１２内に連通されている。これにより、供給ホッパ２０内に上側から穀粒としての米粒Ｒ（玄米）が供給されることで、米粒Ｒがケース１２内に供給される。
【００２０】
ケース１２内の上部には、搬送手段を構成する円筒状の送穀筒２２が設けられており、送穀筒２２は、ケース１２の上壁と上仕切板１４との間に架け渡されると共に、内部に回転軸１８が配置されている。送穀筒２２内は、供給ホッパ２０内に連通されており、供給ホッパ２０からケース１２内に供給される米粒Ｒは、送穀筒２２内に上側から供給される。
【００２１】
送穀筒２２内における回転軸１８には、搬送手段を構成する略円筒状の送穀ロール２４が嵌着されており、送穀ロール２４は、回転軸１８と一体に回転可能にされている。送穀筒２２と送穀ロール２４との間には、送穀室２６が形成されており、送穀筒２２内に上側から供給された米粒Ｒは、送穀室２６に上側から供給される。
【００２２】
送穀ロール２４の外周面には、螺旋状の送穀螺旋２４Ａが一体に設けられており、送穀螺旋２４Ａは、送穀ロール２４の外周面から突出されている。これにより、回転軸１８と一体に送穀ロール２４が回転されることで、送穀ロール２４（送穀螺旋２４Ａ）によって送穀室２６の米粒Ｒが下側へ搬送される。
【００２３】
ケース１２内の上下方向中間部には、精穀筒としての金属製の摩擦精穀筒２８（図２参照）が設けられており、摩擦精穀筒２８は、多角形筒状（本実施の形態では略６角形筒状）にされている。摩擦精穀筒２８は、上仕切板１４と下仕切板１６との間に架け渡されており、摩擦精穀筒２８内には、回転軸１８が配置されている。
【００２４】
図３に詳細に示す如く、摩擦精穀筒２８の周壁には、除糠孔としての長尺矩形状の摩擦除糠孔３０が多数貫通形成されており、摩擦除糠孔３０は、摩擦精穀筒２８の周方向及び軸方向（上下方向）に並べられている。摩擦除糠孔３０は、摩擦精穀筒２８の軸方向に対し傾斜されると共に、米粒Ｒが通過不能にされている。
【００２５】
図３及び図４に詳細に示す如く、摩擦精穀筒２８の周壁には、摩擦除糠孔３０間において、突出部としての半球状の突起３２がエンボス加工によって多数形成されており、突起３２は、摩擦精穀筒２８の内周面から内側へ球面状に突出されている。摩擦精穀筒２８における突起３２の設置密度（設置数、設置面積及び設置体積の密度）は、摩擦精穀筒２８の上側部２８Ａ（本実施の形態では上側１／４の部分）及び下側部２８Ｂ（本実施の形態では下側１／４の部分）に比し、摩擦精穀筒２８の中間部２８Ｃ（本実施の形態では上下方向中央１／２の部分）が、大きくされている（本実施の形態では２倍にされている）。
【００２６】
図１及び図２に示す如く、摩擦精穀筒２８内における回転軸１８には、精穀ロールとしての略円筒状の摩擦精穀ロール３４が嵌着されており、摩擦精穀ロール３４は、回転軸１８と一体に回転可能にされている。
【００２７】
摩擦精穀筒２８と摩擦精穀ロール３４との間には、精穀室としての摩擦精穀室３６が形成されており、摩擦精穀室３６は、送穀室２６に連通されている。これにより、送穀ロール２４（送穀螺旋２４Ａ）によって送穀室２６を下側へ搬送された米粒Ｒが、摩擦精穀室３６に上側から供給されて、送穀ロール２４（送穀螺旋２４Ａ）によって摩擦精穀室３６を下側へ搬送される。
【００２８】
摩擦精穀ロール３４の外周面には、攪拌部としての長尺矩形柱状の平行突条３４Ａが所定数（本実施の形態では３つ）一体に設けられており、平行突条３４Ａは、摩擦精穀ロール３４の外周面から突出されると共に、摩擦精穀ロール３４の軸方向に沿って配置されている。これにより、回転軸１８と一体に摩擦精穀ロール３４が回転されることで、摩擦精穀室３６の米粒Ｒが、摩擦精穀ロール３４（平行突条３４Ａ）によって回転力を付与されつつ攪拌されて、摩擦精穀（摩擦精米）される（白米にされる）。さらに、摩擦精穀ロール３４（平行突条３４Ａ）によって回転力を付与される米粒Ｒが摩擦精穀筒２８の突起３２に圧接されることで、摩擦精穀ロール３４（平行突条３４Ａ）による米粒Ｒへの回転力が摩擦精穀に有効な米粒Ｒへの圧力に変換される。また、摩擦精穀室３６において米粒Ｒが摩擦精穀されることで取り除かれる米粒Ｒ表面の糠層（糠粉）は、摩擦精穀室３６から摩擦精穀筒２８の摩擦除糠孔３０を介して摩擦精穀筒２８外に吸引排出されて、更に、ケース１２外へ吸引排出される。
【００２９】
回転軸１８は、摩擦精穀ロール３４の下側において、開閉部材としての略円筒状の抵抗弁３８に貫通されており、抵抗弁３８は、回転軸１８に対し回転可能にされて回転軸１８の回転を許可すると共に、回転軸１８に対し上下方向へ移動（スライド）可能にされている。抵抗弁３８の外周には、円錐台形筒状の弁部３８Ａが一体に設けられており、抵抗弁３８は、上下方向へ移動されることで、弁部３８Ａが摩擦精穀室３６の下端（排出口）を開閉可能にされている。
【００３０】
抵抗弁３８には、リンク枠４０の一端が回動可能に支持されており、リンク枠４０の中間部は、下記排出筒５０の周壁に貫通した状態で回動可能に支持されている。リンク枠４０の他端には、付勢手段としての引張コイルスプリング４２の一端が接続されており、引張コイルスプリング４２の他端は、調整軸４４の一端に接続されている。調整軸４４は、調整手段としての調整モータ４６に連結されており、調整モータ４６はケース１２内に固定されている。
【００３１】
これにより、引張コイルスプリング４２がリンク枠４０を介して抵抗弁３８に付勢力を付与して、抵抗弁３８（弁部３８Ａ）が摩擦精穀室３６の下端を閉鎖する。さらに、摩擦精穀室３６を下側へ搬送される米粒Ｒの圧力によって抵抗弁３８が引張コイルスプリング４２の付勢力に抗して下側へ移動されることで、抵抗弁３８（弁部３８Ａ）が摩擦精穀室３６の下端を開放して、摩擦精穀室３６から下側に米粒Ｒ（白米）が排出される。
【００３２】
また、調整モータ４６が駆動されることで、調整軸４４が移動（スライド）されて、引張コイルスプリング４２がリンク枠４０を介して抵抗弁３８に付与する付勢力が調整される。これにより、摩擦精穀室３６における米粒Ｒの精穀圧力が調整される。
【００３３】
回転軸１８には、精穀抵抗弁３８の下側において、円錐台形筒状の排出盤４８が嵌着されており、排出盤４８は、回転軸１８と一体に回転可能にされている。排出盤４８は、有底円筒状の排出筒５０内に収容されており、排出筒５０は、底壁を回転軸１８が回転可能に貫通されると共に、上端が下仕切板１６に固定されている。排出筒５０の周壁には、排出樋５２が一体に設けられており、排出樋５２は、内部が排出筒５０内に連通されると共に、先端（下端）がケース１２外に突出されている。
【００３４】
摩擦精穀室３６から下側に排出された米粒Ｒは、排出筒５０内の排出盤４８上に落下する。これにより、回転軸１８と一体に排出盤４８が回転されることで、排出盤４８上の米粒Ｒが、排出盤４８によって回転力を付与されて、排出筒５０内から排出樋５２内を介してケース１２外に排出される。
【００３５】
次に、本実施の形態の作用を説明する。
【００３６】
以上の構成の摩擦精穀装置１０では、調整モータ４６が駆動されることで、調整軸４４が移動されて、引張コイルスプリング４２がリンク枠４０を介して抵抗弁３８に付与する付勢力が調整される。これにより、摩擦精穀室３６における米粒Ｒの精穀圧力が調整される。
【００３７】
さらに、回転軸１８が回転されることで、送穀ロール２４、摩擦精穀ロール３４及び排出盤４８が一体に回転される。
【００３８】
供給ホッパ２０に上側から米粒Ｒ（玄米）が供給されると、米粒Ｒが、送穀室２６に上側から供給されて、回転される送穀ロール２４（送穀螺旋２４Ａ）によって下側へ搬送されることで、摩擦精穀室３６を下側へ搬送される。
【００３９】
摩擦精穀室３６では、米粒Ｒが、回転される摩擦精穀ロール３４（平行突条３４Ａ）によって回転力を付与されつつ攪拌されて、摩擦精穀される。すなわち、米粒Ｒ相互間に摩擦力が作用して、米粒Ｒ表面の糠層が取り除かれる。さらに、回転される摩擦精穀ロール３４（平行突条３４Ａ）によって回転力を付与される米粒Ｒが摩擦精穀筒２８の突起３２に圧接されることで、摩擦精穀ロール３４（平行突条３４Ａ）による米粒Ｒへの回転力が摩擦精穀に有効な米粒Ｒへの圧力に変換される。これにより、米粒Ｒ表面の糠層が良好に取り除かれる。
【００４０】
摩擦精穀室３６において米粒Ｒが摩擦精穀されることで取り除かれる米粒Ｒ表面の糠層（糠粉）は、摩擦精穀室３６から摩擦精穀筒２８の摩擦除糠孔３０を介して摩擦精穀筒２８外に吸引排出されて、更に、ケース１２外へ吸引排出される。
【００４１】
摩擦精穀室３６を下側へ搬送される米粒Ｒの圧力によって抵抗弁３８が引張コイルスプリング４２の付勢力に抗して下側へ移動されると、抵抗弁３８（弁部３８Ａ）が摩擦精穀室３６の下端を開放して、摩擦精穀室３６から下側に米粒Ｒ（白米）が排出される。
【００４２】
摩擦精穀室３６から下側に排出された米粒Ｒは、排出筒５０内の回転される排出盤４８上に落下する。これにより、排出盤４８上の米粒Ｒが、排出盤４８によって回転力を付与されて、排出筒５０内から排出樋５２内を介してケース１２外に排出される。
【００４３】
ところで、上述の如く、米粒Ｒは、回転される送穀ロール２４（送穀螺旋２４Ａ）によって摩擦精穀室３６を下側へ搬送される。このため、摩擦精穀室３６の米粒Ｒに作用する送穀ロール２４（送穀螺旋２４Ａ）による搬送力は、摩擦精穀室３６の上側部３６Ａ（一側部）において高くなり、摩擦精穀室３６の上側部３６Ａから下側部３６Ｂ（他側部）へ向かうに従い低くなる。
【００４４】
ここで、摩擦精穀筒２８における突起３２の設置密度は、摩擦精穀筒２８の上側部２８Ａ（本実施の形態では上側１／４の部分）及び下側部２８Ｂ（本実施の形態では下側１／４の部分）に比し、摩擦精穀筒２８の中間部２８Ｃ（本実施の形態では上下方向中央１／２の部分）が、大きくされている。このため、摩擦精穀室３６における突起３２の配置密度（配置数、配置面積及び配置体積の密度）が、摩擦精穀室３６の上側部３６Ａ（本実施の形態では上側１／４の部分）及び下側部３６Ｂ（本実施の形態では下側１／４の部分）に比し、摩擦精穀室３６の中間部３６Ｃ（本実施の形態では上下方向中央１／２の部分）が、大きくされている（本実施の形態では２倍にされている）。
【００４５】
これにより、摩擦精穀室３６において突起３２から米粒Ｒに作用する圧力は、摩擦精穀室３６の中間部３６Ｃにおいて高くなり、その分、摩擦精穀室３６の上側部３６Ａ及び下側部３６Ｂにおいて低くなる。また、上述の如く、摩擦精穀室３６の米粒Ｒに作用する送穀ロール２４（送穀螺旋２４Ａ）による搬送力は、摩擦精穀室３６の上側部３６Ａから下側部３６Ｂへ向かうに従い低くなる。
【００４６】
このため、摩擦精穀室３６の上側部３６Ａから中間部３６Ｃにおいては、米粒Ｒの精穀圧力を略均等にできて、米粒Ｒの精穀圧力が局部的に高い部分をなくすことができる。これにより、米粒Ｒの砕粒を抑制でき、米粒Ｒの精穀歩留及び精穀品質を向上できる。しかも、摩擦精穀筒２８に局部的に高い精穀圧力が作用することを抑制でき、摩擦精穀筒２８の寿命を向上できる。
【００４７】
さらに、摩擦精穀室３６の下側部３６Ｂにおいては、米粒Ｒの精穀圧力を低くできる。これにより、摩擦精穀室３６の下側部３６Ｂに到達して精穀がほぼ完了している米粒Ｒを適切に研粒（研米）できる。
【００４８】
なお、本実施の形態では、回転軸１８（送穀筒２２、送穀ロール２４、摩擦精穀筒２８及び摩擦精穀ロール３４等を含む）を上下方向に沿って配置した構成としたが、回転軸１８（送穀筒２２、送穀ロール２４、摩擦精穀筒２８及び摩擦精穀ロール３４等を含む）を水平方向に沿って配置した構成や回転軸１８（送穀筒２２、送穀ロール２４、摩擦精穀筒２８及び摩擦精穀ロール３４等を含む）を上下方向及び水平方向に対し傾斜させて配置した構成としてもよい。
【図面の簡単な説明】
【００４９】
【図１】本発明の実施の形態に係る摩擦精穀装置を示す側方から見た断面図である。
【図２】本発明の実施の形態に係る摩擦精穀装置における摩擦精穀筒及び摩擦精穀ロールを示す上方から見た断面図（図１の２−２線断面図）である。
【図３】本発明の実施の形態に係る摩擦精穀装置における摩擦精穀筒の内周面を示す側方から見た側面図である。
【図４】本発明の実施の形態に係る摩擦精穀装置における摩擦精穀筒の周壁を示す側方から見た断面図である。
【符号の説明】
【００５０】
１０    摩擦精穀装置（精穀装置）
２８    摩擦精穀筒（精穀筒）
３２    突起（突出部）
３４    摩擦精穀ロール（精穀ロール）
３６    摩擦精穀室（精穀室）
３６Ａ  上側部（一側部）
３６Ｂ  下側部（他側部）
３６Ｃ  中間部
Ｒ    米粒（穀粒）
【図１】
2010042355.tif 000003
【図２】
2010042355.tif 000004
【図３】
2010042355.tif 000005
【図４】
2010042355.tif 000006